(57)【要約】【課題】  可動コンタクトに対する圧縮コイルばねの位置がずれることを防止でき、常に良好なスイッチ機能が得られるようにする。【解決手段】  可動コンタクト１８は、金属板をＵ字状に折り曲げて構成する。その折り曲げられた２枚の折曲げ片２４において、可動コンタクト１８を固定コンタクト１２側へ付勢する圧縮コイルばね１９を受ける部位に、その圧縮コイルばね１９に嵌合して当該圧縮コイルばね１９の位置決めをする嵌合凸部２６を一体に設けた。これにより、可動コンタクト１８に対して圧縮コイルばね１９は、可動コンタクト１８の移動方向である矢印Ｂ１方向、およびこれと交差する矢印Ｂ２方向へ位置がずれることが防止できる。【選択図】  図１
2006120343.tif 000002
【特許請求の範囲】
【請求項１】
可動体の移動方向に沿って平行状態に配置された複数個の固定コンタクトと、
前記可動体に圧縮コイルばねにより前記固定コンタクト側へ付勢して設けられ、前記可動体の移動に伴い前記固定コンタクトに沿って摺動し、平行状態に隣り合った前記固定コンタクトに対して接離する可動コンタクトとを備えたスイッチ装置において、
前記可動コンタクトは金属板をＵ字状に折り曲げて構成すると共に、その折り曲げられた２枚の折曲げ片において前記圧縮コイルばねを受ける部位に、前記圧縮コイルばねに嵌合して当該圧縮コイルばねの位置決めをする嵌合凸部を一体に設けたことを特徴とするスイッチ装置。
【発明の詳細な説明】
【技術分野】
【０００１】
本発明は、平行状態に配置された固定コンタクトに沿って可動コンタクトが摺動することに伴い、隣り合った固定コンタクト間を電気的に導通させる構成のスイッチ装置に関する。
【背景技術】
【０００２】
この種のスイッチ装置として、例えば特許文献１に示すものが知られている。このものは、自動車の自動変速機用ニュートラルスタートスイッチに適用したものである。自動変速機用ニュートラルスタートスイッチには、「Ｐ（パーキング）」及び「Ｎ（ニュートラル）」のポジションのみでエンジンをスタートさせるためのスイッチ部の他に、「Ｒ（リバース）」のポジションで車体後方のバックランプを点灯させ、「Ｐ」、「Ｒ」、「Ｎ」、「Ｄ（ドライブ）」、「２（セカンド）」、「Ｌ（ロー）」の各ポジションで例えばインストルメントパネルに配設されたインジケータランプを点灯させるためのスイッチ部が設けられている。各スイッチ部は、自動変速機のシフトレバーのポジション操作によって選択されるようになっている。
【０００３】
この種のスイッチ装置の可動コンタクトは、図７に示すような構成となっている。すなわち、可動コンタクト１は、上部が開口したばね受け用凹部２を有したほぼコ字形をなしていて、図示しない可動体に取り付けられている。ばね受け用凹部２と可動体との間には圧縮コイルばね３が配設されていて、この圧縮コイルばね３により、可動コンタクト１がステータ４側に付勢されている。ステータ４には、可動体ひいては可動コンタクト１の移動方向である矢印Ａ１方向に沿って、平行状態に複数個の固定コンタクト５が設けられている。
上記構成において、図示しないシフトレバーの操作に基づき、可動体が矢印Ａ１方向に移動されると、可動コンタクト１も同矢印Ａ１方向へ摺動し、この可動コンタクト１が、平行状態に隣り合った固定コンタクト５，５に接離することでスイッチ部が動作する。
【特許文献１】実公平６−４８７０８号公報（図１，４，５）
【発明の開示】
【発明が解決しようとする課題】
【０００４】
上記した従来構成のものでは、組み付け時や、可動コンタクト１の移動時、或いは振動などにより、可動コンタクト１におけるばね受け用凹部２に対する圧縮コイルばね３の位置が、上記矢印Ａ１方向やこれと交差する矢印Ａ２方向へずれることがある（図８のａ参照）。すると、平行する２箇所の固定コンタクト５，５に対する可動コンタクト１の接触力ｆ１、ｆ２がアンバランスとなり、接触抵抗が増大したりして良好なスイッチ機能が得られなくおそれがある。
【０００５】
本発明は上記事情に鑑みてなされたものであり、その目的は、可動コンタクトに対する圧縮コイルばねの位置がずれることを防止でき、常に良好なスイッチ機能を得ることが可能なスイッチ装置を提供するにある。
【課題を解決するための手段】
【０００６】
上記の目的を達成するために、本発明は、可動体の移動方向に沿って平行状態に配置された複数個の固定コンタクトと、前記可動体に圧縮コイルばねにより前記固定コンタクト側へ付勢して設けられ、前記可動体の移動に伴い前記固定コンタクトに沿って摺動し、平行状態に隣り合った前記固定コンタクトに対して接離する可動コンタクトとを備えたスイッチ装置において、
前記可動コンタクトは金属板をＵ字状に折り曲げて構成すると共に、その折り曲げられた２枚の折曲げ片において前記圧縮コイルばねを受ける部位に、前記圧縮コイルばねに嵌合して当該圧縮コイルばねの位置決めをする嵌合凸部を一体に設けたことを特徴とする。
【発明の効果】
【０００７】
本発明によれば、可動コンタクトにおいて圧縮コイルばねを受ける部位に、圧縮コイルばねに嵌合して当該圧縮コイルばねの位置決めをする嵌合凸部を一体に設けているので、可動コンタクトに対する圧縮コイルばねの位置がずれることを防止できる。このため、固定コンタクトに対する可動コンタクトの接触力のバランスが崩れ難くなり、常に良好なスイッチ機能を得ることが可能となる。
【発明を実施するための最良の形態】
【０００８】
以下、本発明を自動変速機用ニュートラルスタートスイッチに適用した第１実施例について、図１ないし図４を参照して説明する。まず、全体の分解斜視図を示す図３において、ベースとなるステータ１１は全体として扇形をなしていて、一面に複数の固定コンタクト１２を有すると共に、扇形の中心部に円形の軸挿通孔１３を有している。固定コンタクト１２は、軸挿通孔１３を中心とした同心円上に沿うようにして、径方向に４段となるように配置されている。したがって、４段の固定コンタクト１２は、平行状態に配置されている。
可動体１５は、一端部に円筒状をなす軸部１６を有していると共に、この軸部１６から径方向に延びるアーム部１７を有していて、このアーム部１７に、２組の可動コンタクト１８及び圧縮コイルばね１９を備えている。カバー２０は、全体として扇形をなしていて、扇形の中心部に円形の軸挿通孔２１を有している。
【０００９】
図４に示すように、可動体１５は、可動コンタクト１８を固定コンタクト１２に対向するように位置させた状態で、軸部１６の一端部をステータ１１の軸挿通孔１３に挿入することにより、ステータ１１上に回動可能に配置される。そして、その可動体１５を覆うようにして、ステータ１１の上にカバー２０を被せ、可動体１５の軸部１６の他端部をカバー２０の軸挿通孔２１に相対的に挿入させ、カバー２０をステータ１１に連結固定する。
このとき、２組の各可動コンタクト１８は、圧縮コイルばね１９の付勢力により固定コンタクト１２側に付勢されている。また、各可動コンタクト１８は、４段の固定コンタクト１２のうち、隣り合った２段の固定コンタクト１２に跨るように配置されている。
【００１０】
ここで、可動コンタクト１８について、図１及び図２も参照して説明する。なお、２組の可動コンタクト１８は同一構成であるので、一方の可動コンタクト１８について説明する。可動コンタクト１８は、プレス加工により金属板をＵ字状に折り曲げて構成されている。その折り曲げられた２枚の折曲げ片２４には、上部が開口したコ字形のばね受け用凹部２５が形成されていると共に、そのばね受け用凹部２５の底部の中央部に、上方へ突出する嵌合凸部２６が突設されている。各嵌合凸部２６は円弧状をなしていて、対応する圧縮コイルばね１９の内側に嵌合している。これにより、可動コンタクト１８に対する圧縮コイルばね１９の位置決めをしている。
【００１１】
上記構成において、図示しないシフトレバーがシフト操作されると、可動体１５が軸部１６を中心にして矢印Ｂ１方向へ回動（移動）される。これに伴い、可動コンタクト１８が、対応する固定コンタクト１２に沿って同矢印Ｂ１方向へ摺動し、対応する固定コンタクト１２に対して接離する。これにより、「Ｐ」、「Ｒ」、「Ｎ」、「Ｄ」、「２」、「Ｌ」の各位置で、スイッチ部の固定コンタクト１２間の導通状態が切り替わるようになる。
【００１２】
上記した実施例においては、可動コンタクト１８において圧縮コイルばね１９を受ける部位に、圧縮コイルばね１９に嵌合して当該圧縮コイルばね１９の位置決めをする嵌合凸部２６を一体に設けているので、可動コンタクト１８に対して圧縮コイルばね１９は、可動コンタクト１８の移動方向である矢印Ｂ１方向、およびこれと交差する矢印Ｂ２方向へ位置がずれることが防止できる。このため、固定コンタクト１２に対する可動コンタクト１８の接触力のバランスが崩れ難くなり、常に良好なスイッチ機能を得ることが可能となる。
この場合、特に、嵌合凸部２６は円弧状をなしているので、圧縮コイルばね１９と嵌合し易い利点がある。
【００１３】
図５及び図６は本発明の第２実施例を示したものであり、この第２実施例は上記した第１実施例とは次の点が異なっている。すなわち、可動コンタクト１８の各折曲げ片２４における嵌合凸部３０は、円弧状ではなく、折曲げ片２４に沿った直線状に形成されている。そして、これら嵌合凸部３０も、圧縮コイルばね１９の内側に嵌合するようになっている。
このような構成とした第２実施例においても、第１実施例と同様な作用効果を得ることができる。
【００１４】
本発明は、上記した各実施例にのみ限定されるものではなく、次のように変形または拡張できる。
可動体１５及び可動コンタクト１８の移動は、軸部１６を中心とした回動に限られず、直線移動であっても良い。
本発明は、自動変速機用ニュートラルスタートスイッチに限られず、他のスイッチ装置にも適用することができる。
【図面の簡単な説明】
【００１５】
【図１】本発明の第１実施例を示す要部の斜視図
【図２】要部の平面図
【図３】分解斜視図
【図４】組み付け状態での縦断側面図
【図５】本発明の第２実施例を示す図１相当図
【図６】図２相当図
【図７】従来例を示す図１相当図
【図８】縦断側面図
【符号の説明】
【００１６】
図面中、１１はステータ、１２は固定コンタクト、１５は可動体、１６は軸部、１８は可動コンタクト、１９は圧縮コイルばね、２４は折曲げ片、２５はばね受け用凹部、２６は嵌合凸部、３０は嵌合凸部を示す。
【図１】
2006120343.tif 000003
【図２】
2006120343.tif 000004
【図３】
2006120343.tif 000005
【図４】
2006120343.tif 000006
【図５】
2006120343.tif 000007
【図６】
2006120343.tif 000008
【図７】
2006120343.tif 000009
【図８】
2006120343.tif 000010